(57)【要約】      （修正有）【課題】簡易な構成で、解像度が高く、明るい画像を得ることができる光学系及び撮像装置を提供する【解決手段】物体側より順に、正の第１レンズ群Ｌ１、絞り、正の第２レンズ群Ｌ２及び負の第３レンズ群Ｌ３より構成される光学系であって、当該第１レンズ群は、物体側から順に、正の第１ａレンズ群と、負の第１ｂレンズ群とにより構成され、当該第２レンズ群は、物体側から順に、少なくとも２枚の正レンズを有する第２ａレンズ群と、少なくとも１枚の負レンズを有する第２ｂレンズ群とを備え、以下の条件式を満足することを特徴とする。2014178436.tif 000020【選択図】図１
2014178436.tif 000002
【特許請求の範囲】
【請求項１】
物体側より順に、正の第１レンズ群、絞り、正の第２レンズ群及び負の第３レンズ群より構成される光学系であって、
当該第１レンズ群は、物体側から順に、正の第１ａレンズ群と、負の第１ｂレンズ群とにより構成され、
当該第２レンズ群は、物体側から順に、少なくとも２枚の正レンズを有する第２ａレンズ群と、少なくとも１枚の負レンズを有する第２ｂレンズ群とを備え、
以下の条件式を満足することを特徴とする光学系。
【数１】
2014178436.tif 000016
【請求項２】
前記第２レンズ群において、以下の条件式を満足する請求項１に記載の光学系。
【数２】
2014178436.tif 000017
【請求項３】
当該光学系において、以下の条件式を満足する請求項１又は請求項２に記載の光学系。
【数３】
2014178436.tif 000018
【請求項４】
前記第１ｂレンズ群において、最も像面側に配置されたレンズの像面側の面は凸面であり、
前記第２ａレンズ群において、最も物体側に配置されたレンズの物体側の面は凸面である請求項１〜請求項３のいずれか一項に記載の光学系。
【請求項５】
当該光学系において、以下の条件式を満足する請求項１〜請求項４のいずれか一項に記載の光学系。
【数４】
2014178436.tif 000019
【請求項６】
無限遠から近距離物体に合焦する際、第１レンズ群と第２レンズ群を一体で像面側から物体側へ移動させる請求項１〜請求項５のいずれか一項に記載の光学系。
【請求項７】
請求項１〜請求項６のいずれか一項に記載の光学系と、撮像素子とを備え、前記光学系により、物体側から入射した光を撮像素子の撮像面に結像させることを特徴とする撮像装置。
【発明の詳細な説明】
【技術分野】
【０００１】
本件発明は、光学系及び撮像装置に関し、特に、簡易な構成で解像度が高く、明るい画像を得ることのできる撮像装置用の光学系及び撮像装置に関する。
【背景技術】
【０００２】
従来より、監視カメラや工業用カメラなど（以下、監視カメラなど）では、撮像画像を画像処理に供するため、これらに用いられる望遠光学系には、高い解像能が求められてきた。近年、撮像素子の高画素化の進展が著しく、監視カメラなどにも、例えば、５００万画素以上の高画素撮像素子が用いられるようになってきている。このため、この種の望遠光学系においても、高画素撮像素子に対応可能なより高い解像能が要求されるようになってきている。また、当該望遠光学系には、他にも、振動等が生じても、フォーカスがぶれない機構、被写体の位置によらず高精度にフォーカス可能な機構等も要求される。さらに、監視カメラなどは、夜間や薄暗い場所等でも使用される。このため、当該望遠光学系には、光量が不足する場合でも明るい画像を取得可能な大口径レンズ系についての要求もある。
【０００３】
この種の望遠光学系として、例えば、フォーカシングを行う際に、複数のレンズ群をそれぞれ独立に移動させるフローティング方式を採用したものがある（例えば、「特許文献１」参照。）。当該フローティング方式によれば、各レンズ群間の距離を調整することにより、無限遠から至近距離における収差変化を抑制することができる。このため、被写体の位置によらず、解像度の高い画像を得ることができるため、上記高画素撮像素子に対応させることも容易になる。また、この特許文献１に記載の望遠光学系では、１．２３程度のＦ値を実現しており、明るい画像を得ることができる。
【０００４】
また、別のフォーカシング方式として、フォーカシングの際に、像面側に最も近い位置に配置される最終レンズ群を固定レンズ群とし、最終レンズ群以外のレンズ群をフォーカスレンズ群として、これらを一体で移動させる方式を採用したものも提案されている（例えば、「特許文献２」及び「特許文献３」参照。）。
【先行技術文献】
【特許文献】
【０００５】
【特許文献１】特開２００９−２５１３９９号公報
【特許文献２】特開２００４−３０２１７０号公報
【特許文献３】特開２００８−２５７０８８号公報
【発明の概要】
【発明が解決しようとする課題】
【０００６】
しかしながら、特許文献１に記載の望遠光学系は、フローティング方式を採用すること等により、解像度の高い、明るい撮像画像を得ることが可能である。しかしながら、フォーカシングの際に、各レンズ群をそれぞれ異なる移動量で移動させる必要があるため、レンズ群を移動させるための移動機構が複雑になる。このため、振動等によるフォーカスのぶれが生じたり、鏡筒の大型化及び高コスト化を招く恐れがある。また、移動機構の複雑さは、メンテナンス等の管理の手間の増大を招く恐れがある。
【０００７】
一方、特許文献２及び特許文献３に記載の望遠光学系では、最終レンズ群以外のレンズ群を一体で移動させる方式を採用しているため、上記フローティング方式を採用する場合と比較すると、レンズ群を移動させるための機構が簡易である。このため、レンズ群の移動機構の複雑さに起因する種々の課題を解決することは容易になる。しかしながら、特許文献２に記載の望遠光学系のＦ値は４．０８程度であり、明るさが不足している。このため、回析限界が低くなり、上記高画素撮像素子用の望遠光学系としては解像能が不足する。これに対して、特許文献３に記載の望遠光学系のＦ値は２．８８程度である。監視カメラ等の望遠光学系としては、実用十分な明るさを有する。しかしながら、軸上色収差が大きく、高画素撮像素子用の望遠光学系として用いるにはやはり解像能が不足している。
【０００８】
本件発明の課題は、簡易な構成で、解像度が高く、明るい画像を得ることができる光学系及び撮像装置を提供することにある。
【課題を解決するための手段】
【０００９】
本発明者等は、鋭意研究を行った結果、以下の光学系を採用することで上記課題を達成するに到った。
【００１０】
本件発明に係る光学系は、物体側より順に、正の第１レンズ群、絞り、正の第２レンズ群及び負の第３レンズ群より構成される光学系であって、当該第１レンズ群は、物体側から順に、正の第１ａレンズ群と、負の第１ｂレンズ群とにより構成され、当該第２レンズ群は、物体側から順に、少なくとも２枚の正レンズを有する第２ａレンズ群と、少なくとも１枚の負レンズを有する第２ｂレンズ群とを備え、以下の条件式を満足することを特徴とする。
【００１１】
【数１】
2014178436.tif 000003
【００１２】
本件発明に係る光学系では、前記第２レンズ群において、以下の条件式を満足することが好ましい。
【００１３】
【数２】
2014178436.tif 000004
【００１４】
本件発明に係る光学系において、以下の条件式を満足することが好ましい。
【００１５】
【数３】
2014178436.tif 000005
【００１６】
本件発明に係る光学系では、前記第１ｂレンズ群において、最も像面側に配置されたレンズの像面側の面は凸面であり、前記第２ａレンズ群において、最も物体側に配置されたレンズの物体側の面は凸面であることが好ましい。
【００１７】
本件発明に係る光学系において、以下の条件式を満足することが好ましい。
【００１８】
【数４】
2014178436.tif 000006
【００１９】
本件発明に係る光学系において、無限遠から近距離物体に合焦する際、第１レンズ群と第２レンズ群を一体で像面側から物体側へ移動させることが好ましい。
【００２０】
本件発明に係る撮像装置は、上記光学系と、撮像素子とを備え、前記光学系により、物体側から入射した光を撮像素子の撮像面に結像させることを特徴とする。
【発明の効果】
【００２１】
本件発明に係る光学系によれば、フォーカシングのためのレンズ群の移動機構を簡易な構成とすることができ、解像度が高く、明るい画像を得ることができる。このため、画素数が５００万を超える高画素撮像素子用の光学系として好適に用いることができ、特に、高画素撮像素子用の望遠光学系として好適に用いることができる。
【図面の簡単な説明】
【００２２】
【図１】実施例１の光学系の構成を示す断面図である。
【図２】実施例１の光学系の無限遠合焦状態における収差図（球面収差、非点収差、歪曲収差、倍率色収差；以下において同じ）である。
【図３】実施例１の光学系の至近距離合焦状態における収差図である。
【図４】実施例２の光学系の構成を示す断面図である。
【図５】実施例２の光学系の無限遠合焦状態における収差図である。
【図６】実施例２の光学系の至近距離合焦状態における収差図である。
【図７】実施例３の光学系の構成を示す断面図である。
【図８】実施例３の光学系の無限遠合焦状態における収差図である。
【図９】実施例３の光学系の至近距離合焦状態における収差図である。
【図１０】実施例４の光学系の構成を示す断面図である。
【図１１】実施例４の光学系の無限遠合焦状態における収差図である。
【図１２】実施例４の光学系の至近距離合焦状態における収差図である。
【発明を実施するための形態】
【００２３】
以下、本件発明に係る光学系の実施の形態を説明する。以下では、まず本件発明に係る光学系の構成例について説明した上で、当該光学系が満足すべき条件、或いは満足することが好ましい条件について順に説明する。
【００２４】
１．光学系の構成
本件発明に係る光学系は、例えば、図１に示すように、物体側より順に、正の第１レンズ群Ｌ１、絞りＳＴＯＰ、正の第２レンズ群Ｌ２及び負の第３レンズ群Ｌ３を備えている。本実施の形態の光学系は、物体側から入射する光を像面ＩＭＧに配置された撮像素子に結像させる撮像用光学系を例に挙げて説明する。
【００２５】
第１レンズ群Ｌ１は、物体側から順に、正の第１ａレンズ群と、負の第１ｂレンズ群とを備えている。図１には、第１ａレンズ群の具体的なレンズ構成として、物体側から順に配置された正レンズＬ１１、正レンズＬ１２及び負レンズＬ１３を備える構成例を示した。また、図１には、第１ｂレンズ群の具体的なレンズ構成として、物体側から順に配置された負レンズＬ１４及び正レンズＬ１５を備え、この負レンズＬ１４と正レンズＬ１５とが接合レンズである場合を例示した。但し、第１ａレンズ群及び第１ｂレンズ群の具体的なレンズ構成は、図１に示す構成例に限定されるものではなく、適宜、変更可能である。
【００２６】
第２レンズ群Ｌ２は、物体側から順に、少なくとも２枚の正レンズＬ２１、Ｌ２２を有する第２ａレンズ群と、少なくとも１枚の負レンズＬ２３を有する第２ｂレンズ群とを備えている。図１には、２枚の正レンズＬ２１、Ｌ２２から構成された第２ａレンズ群を示したが、第２ａレンズ群はこれら２枚の正レンズＬ２１、Ｌ２２以外に、他のレンズを備えてもよいのは勿論である。また、図１には、１枚の負レンズＬ２３から構成された第２ｂレンズ群を示したが、第２ｂレンズ群についてもこの負レンズＬ２３以外に、他のレンズを備えてもよいのは勿論である。但し、図１に示す構成例を採用することにより、最小のレンズ枚数で第２レンズ群Ｌ２を構成することができ、当該光学系の軽量化及び低コスト化を図ることができるため好ましい。
【００２７】
ここで、上述したとおり、正の屈折力を有する第１レンズ群Ｌ１と、同じく正の屈折力を有する第２レンズ群Ｌ２との間に絞りＳＴＯＰが配置される。本件発明では、この絞りＳＴＯＰに隣接する２枚のレンズＬ１５、Ｌ２１の絞りＳＴＯＰ側の面がそれぞれ凸面であることが好ましい。すなわち、第１ｂレンズ群において最も像面側に配置されるレンズＬ１５の像面側の面（面番号９）が凸面であり、第２ａレンズ群において、最も物体側に配置されたレンズＬ２１の物体側の面（面番号１１）が凸面であることが好ましい。光軸方向において絞りＳＴＯＰの前後に配置されるレンズ（Ｌ１５、Ｌ２１）の絞りＳＴＯＰ側の面（面番号９、面番号１１）をそれぞれ凸面とすることにより、絞りＳＴＯＰに対して出入射する光束の光線高さを低くすることができ、当該光学系をコンパクトに構成することができると共に、明るい画像を得ることができる。
【００２８】
第３レンズ群Ｌ３は、全体として負の屈折力を有するものであれば、その具体的なレンズ構成は特に限定されるものではない。図１には、第３レンズ群Ｌ３の具体的なレンズ構成として、物体側から順に配置された正レンズＬ３１及び負レンズＬ３２を備える場合を例示した。
【００２９】
本件発明に係る光学系では、無限遠から近距離物体に合焦する際、第１レンズ群Ｌ１と第２レンズ群Ｌ２を一体で像面ＩＭＧ側から物体側へ移動させることが好ましい。このとき、第３レンズ群Ｌ３は固定レンズ群とすることが好ましい。すなわち、合焦時に、最終群（第３レンズ群Ｌ３）以外のレンズ群（第１レンズ群Ｌ１及び第２レンズ群）を一体で移動させるフォーカシング方式を採用することにより、各レンズ群を異なる移動量で独立に移動させる場合と比較すると、レンズ群を移動させるための機構を簡素にすることができる。また、移動機構を簡素にすることができるため、外的な振動が生じた場合にも、フォーカスのぶれを防止することができる。
【００３０】
２．条件式
２−１．条件式（１）〜条件式（３）
本件発明に係る光学系は上記構成を有すると共に、以下の条件式（１）〜条件式（３）を満足することを特徴とする。以下の条件式（１）〜条件式（３）を満足することにより、分解能の高い光学系を得ることができる。このため、本件発明に係る光学系を例えば、５００万画素を超えるような超高画素の固体撮像素子（ＣＣＤやＣＭＯＳ等）を搭載した撮像装置用の光学系として用いた場合にも、明るく解像度の高い鮮明な画像を得ることができる。また、本件発明に係る光学系によれば、周囲の明るさが不足している場合にも、高画質の画像を得ることができるため、監視用カメラ等の光学系として特に好適に用いることができる。
【００３１】
【数５】
2014178436.tif 000007
【００３２】
１−１．条件式（１）
まず、条件式（１）について説明する。上記条件式（１）は、当該光学系全体の焦点距離に対する第１レンズ群Ｌ１及び第２レンズ群Ｌ２の合成焦点距離の比に関する式である。すなわち、当該条件式（１）は、当該第１レンズ群Ｌ１及び第２レンズ群Ｌ２の合成屈折力と、当該光学系全体の屈折力との比に関する式である。条件式（１）の上限値を超える場合、第１レンズ群Ｌ１及び第２レンズ群Ｌ２の合成屈折力が大きくなるため、これに応じて第３レンズ群Ｌ３の屈折力も大きくなる。この場合、第３レンズ群Ｌ３において収差（特に、像面湾曲）が生じやすくなり、当該光学系の解像度が低下するため好ましくない。当該観点から、条件式（１）の上限値は、１．１以下であることがより好ましい。
【００３３】
一方、第１レンズ群Ｌ１及び第２レンズ群Ｌ２の合成屈折力が条件式（１）の下限値未満になると、第３レンズ群Ｌ３の屈折力も小さくなる。この場合、第３レンズ群Ｌ３における収差の発生は抑制されるが、合焦時における第１レンズ群Ｌ１及び第２レンズ群Ｌ２の繰出量が大きくなる。合焦時の第１レンズ群Ｌ１及び第２レンズ群Ｌ２の繰出量が大きくなると、これらのレンズ群Ｌ１、Ｌ２を移動させる際に振動が生じやすくなり、画質に影響を及ぼす恐れがあるため好ましくない。また、第１レンズ群Ｌ１及び第２レンズ群Ｌ２の繰出量が大きくなると、近距離合焦状態における当該光学系の全長が長くなる。従って、コンパクトな光学系を実現するという観点からも上記条件式（１）の下限値以上であることが求められる。また、これらの観点から、条件式（１）の下限値は、０．８以上であることが好ましく、０．９以上であることがより好ましい。
【００３４】
１−２．条件式（２）
上記条件式（２）は第１レンズ群Ｌ１を構成する第１ａレンズ群の焦点距離と、第１ｂレンズ群の焦点距離の比に関する式である。この比が条件式（２）の上限値を超える場合、第１ｂレンズ群の屈折力に対して第１ａレンズ群の屈折力が弱くなるため、倍率色収差の補正が困難になる。また、光学系全体におけるペッツバール和が大きくなり、像面湾曲が増大するため、解像度が低下する。これらの観点から、条件式（２）の上限値は、１．４以下であることがより好ましい。
【００３５】
１−３．条件式（３）
上記条件式（３）は、第２レンズ群Ｌ２の焦点距離に対する第２ａレンズ群の焦点距離の比に関する式である。当該比が条件式（３）の上限値を超える場合、第２ａレンズ群と第２レンズ群Ｌ２の屈折力の比が大きくなる。この場合、球面収差の距離変動が大きくなり、近距離合焦時の解像度が低下するため好ましくない。当該観点から、条件式（３）の上限値は、０．６５以下であることが好ましい。
【００３６】
また、当該比が条件式（３）の下限値未満となる場合、第２ａレンズ群と第２レンズ群Ｌ２の屈折力の比が小さくなる。この場合、像面湾曲が増大してしまい、解像度が低下するため好ましくない。当該観点から、条件式（３）の下限値は、０．３以上であることが好ましい。
【００３７】
２．条件式（４）及び条件式（５）
次に、条件式（４）及び条件式（５）について説明する。本件発明に係る光学系では、上記条件式（１）〜条件式（３）を満足すると共に、第２レンズ群Ｌ２において、以下の条件式（４）及び条件式（５）を満足することが好ましい。
【００３８】
【数６】
2014178436.tif 000008
【００３９】
条件式（４）は、第２ａレンズ群において、最も物体側に配置された正レンズＬ２１のｄ線のアッベ数に関する式である。また、条件式（５）は、第２ａレンズ群において、最も像面側に配置された正レンズＬ２２のｄ線のアッベ数に関する式である。これらの条件式（４）及び条件式（５）を満足するレンズを採用することにより、色収差のバランスが良好になり、解像度の高い画像を得ることができる。一方、第２ａレンズ群に配置される上記各正レンズＬ２１、Ｌ２２のｄ線のアッベ数がそれぞれ条件式（４）又は条件式（５）の範囲外となる場合、倍率色収差と軸上色収差のバランスが崩れ、解像度が低下するため好ましくない。これらの観点から、条件式（４）の上限値は２３以下であることが好ましく、条件式（５）の下限値は４８以上であることが好ましい。
【００４０】
３．条件式（６）
次に、条件式（６）について説明する。本件発明に係る光学系において、上記条件式（１）〜条件式（３）等と共に、下記条件式（６）を満足することがより好ましい。
【００４１】
【数７】
2014178436.tif 000009
【００４２】
条件式（６）は、光学系のバックフォーカスに対する光学系の無限遠合焦時の光学全長の比に関する条件式である。ここで、光学系のバックフォーカスとは、第３レンズ群Ｌ３において最も像面側に配置されたレンズＬ３２の像面側の面（面番号２０）と、像面ＩＭＧとの間の光軸上の距離を指す。下記条件式（６）の関係を満足することにより、色収差を始めとして諸収差をさらに良好に補正することが可能になる。特に、本件発明に係る光学系は画角の狭い望遠光学系（例えば、画角１２．５°程度）に良好に適用することができ、当該条件式（６）を満足させることにより、高倍率の望遠光学系においても解像度が高く、明るい鮮明な画像を得ることができる。これらの観点から、条件式（６）の上限値は５．１以下であることが好ましく、条件式（６）の下限値は３．８以上であることが好ましい。
【００４３】
４．条件式（７）
最後に条件式（７）について説明する。本件発明に係る光学系において、下記条件式（７）を満足することがさらに好ましい。
【００４４】
【数８】
2014178436.tif 000010
【００４５】
条件式（７）は、第３レンズ群Ｌ３の焦点距離に対する第１レンズ群Ｌ１及び第２レンズ群Ｌ２の合成焦点距離の比に関する式である。すなわち、当該条件式（７）は、第１レンズ群Ｌ１及び第２レンズ群Ｌ２の合成屈折力と、第３レンズ群Ｌ３の屈折力との比に関する式である。条件式（７）の上限値を超える場合、第１レンズ群Ｌ１及び第２レンズ群Ｌ２の合成屈折力が大きくなり、合焦時における第１レンズ群Ｌ１及び第２レンズ群Ｌ２の繰出量は少なくなるが、光学系全体におけるペッツバール和が大きくなり、像面湾曲が生じるため、解像度が低下する。
【００４６】
一方、条件式（７）の下限値未満になる場合、像面湾曲は良好になる。しかしながら、合焦時における第１レンズ群Ｌ１及び第２レンズ群Ｌ２の繰出量が大きくなるため、上記と同じ理由から、レンズ群を移動させる際の振動に起因して画質に影響を及ぼす恐れがあるため好ましくない。また、同様に、コンパクトな光学系を実現するという観点からも上記条件式（７）の下限値以上であることが求められる。
【００４７】
以上説明した本件発明に係る光学系によれば、フォーカシングの際に、第1レンズ群L１と第２レンズ群Ｌ２とを一体で移動させるため、レンズ群の移動機構を簡易な構成とすることができる。また、条件式（１）〜条件式（３）を満足させることにより、解像度が高く、明るい画像を得ることができる。条件式（４）〜条件式（６）を満足させることにより、更に解像度の高い、明るい画像を得ることができる。このため、画素数が５００万を超える高画素撮像素子用の光学系として好適に用いることができ、特に、監視カメラ等に搭載される高画素撮像素子用の望遠光学系として好適に用いることができる。また、本件発明によれば、高い光学性能を有する３群構成の光学系を少ない枚数（例えば１０枚）のレンズで構成することができる。更に、非球面レンズ等を用いずとも、上記条件式を満足させることにより、像面湾曲等の諸収差を効果的に補正することができる。よって、全てのレンズを球面レンズとすることができるため、当該光学系の低コスト化を実現することができる。
【００４８】
次に、実施例を示して本件発明を具体的に説明する。但し、本件発明は以下の実施例に限定されるものではない。
【実施例１】
【００４９】
まず、実施例１の光学系について説明する。実施例１の光学系の具体的なレンズ構成を図１に示す。図１に示すレンズ構成は上述したとおりであるため、ここでは説明を省略する。また、図１には、当該光学系１００を構成するレンズの各面に対して、物体側からそれぞれ順に面番号を付与している。また、第１ｂ群を構成する接合レンズＬ１４、Ｌ１５の接合面には一つの面番号（面番号８）を付与している。表１に、実施例１の光学系を構成する各レンズの具体的な数値データを示す。以下に示す表１において、「Ｄ１６」は、無限遠合焦状態及び至近距離合焦状態における第２ｂレンズ群の最も像面側に配置されるレンズＬ２３の像面側の面（第１６面）と、第３レンズ群Ｌ３の最も物体側に配置されるレンズＬ３１の物体側の面（第１７面）との間隔を示す。本実施例１の光学系は、無限遠から近距離物体に合焦する際、第１レンズ群Ｌ１と第２レンズ群Ｌ２とを一体で像面側から物体側へ移動させる。このため、無限遠合焦状態と至近距離合焦状態において面間隔が変化するのは、この第１６面と第１７面との間隔のみとなる。なお、表２〜表４に示す各数値データも表１と同じものを表している。
【００５０】
また、図２及び図３にそれぞれ無限遠合焦状態における各収差図（球面収差、非点収差、歪曲収差、倍率色収差）を示す。各収差図において、「Ｆ」はＦ線における収差を示し、「Ｃ」はＣ線における収差を示し、「ｄ」はｄ線における収差を示している。また、非点収差において、「Ｓ」はサジタル方向、「Ｔ」はタンデンシャル方向を示している。さらに、表５に条件式（１）〜条件式（７）の各数値を示す。本実施例１を含め、以下に説明する全ての実施例は、いずれも各条件式（１）〜（７）を満足している。
【実施例２】
【００５１】
次に、実施例２の光学系について説明する。図４に実施例２の光学系の具体的なレンズ構成を示す。また、表２に、実施例２の光学系を構成する各レンズの具体的な数値データを示す。当該光学系は実施例１と同様の構成を備えるため、ここでは説明を省略する。図５及び図６にそれぞれ無限遠合焦状態における各収差図を示す。また、表５に条件式（１）〜条件式（７）の各数値を示す。
【実施例３】
【００５２】
次に、実施例３の光学系について説明する。図７に実施例２の光学系の具体的なレンズ構成を示す。また、表３に、実施例３の光学系を構成する各レンズの具体的な数値データを示す。当該光学系は実施例１と同様の構成を備えるため、ここでは説明を省略する。図８及び図９にそれぞれ無限遠合焦状態における各収差図を示す。また、表５に条件式（１）〜条件式（７）の各数値を示す。
【実施例４】
【００５３】
最後に、実施例４の光学系について説明する。図１０に実施例２の光学系の具体的なレンズ構成を示す。また、表４に、実施例４の光学系を構成する各レンズの具体的な数値データを示す。当該光学系は実施例１と同様の構成を備えるため、ここでは説明を省略する。図８及び図９にそれぞれ無限遠合焦状態における各収差図を示す。また、表５に条件式（１）〜条件式（７）の各数値を示す。
【００５４】
【表１】
2014178436.tif 000011
【００５５】
【表２】
2014178436.tif 000012
【００５６】
【表３】
2014178436.tif 000013
【００５７】
【表４】
2014178436.tif 000014
【００５８】
【表５】
2014178436.tif 000015
【産業上の利用可能性】
【００５９】
本件発明に係る光学系によれば、フォーカシングのためのレンズ群の移動機構を簡易な構成とすることができ、解像度が高く、明るい画像を得ることができる。このため、画素数が５００万を超える高画素撮像素子用の光学系として好適に用いることができ、特に、高画素撮像素子用の望遠光学系として好適に用いることができる。
【符号の説明】
【００６０】
Ｌ１・・・第１レンズ群
Ｌ２・・・第２レンズ群
Ｌ３・・・第３レンズ群
１ａ・・・第１ａレンズ群
１ｂ・・・第１ｂレンズ群
２ａ・・・第２ａレンズ群
２ｂ・・・第２ｂレンズ群
ＳＴＯＰ・・・絞り
【図１】
2014178436.tif 000021
【図２】
2014178436.tif 000022
【図３】
2014178436.tif 000023
【図４】
2014178436.tif 000024
【図５】
2014178436.tif 000025
【図６】
2014178436.tif 000026
【図７】
2014178436.tif 000027
【図８】
2014178436.tif 000028
【図９】
2014178436.tif 000029
【図１０】
2014178436.tif 000030
【図１１】
2014178436.tif 000031
【図１２】
2014178436.tif 000032